(57)【要約】【課題】可及的に画質劣化させることなく現行のＤＶＤレコーダにＨＤビデオデータを保存する。【解決手段】ＨＤＤ１００への記録時に記録対象のデータレートを調べ、ＤＶＤディスク２００へコピーするときに、ＨＤＤ１００への記録時に調べたデータレートに基づき、例えば２０Ｍｂｐｓを越えない場合は、そのままコピーし、２０Ｍｂｐｓ以上の場合は、一度アナログビデオ信号にデコードしてそれを２０Ｍｂｐｓ以下に再エンコードして記録する。これにより、ビットレートの異なる画像情報に対して、画質劣化の少ないデータとしてＤＶＤメディアに保存可能となる。【選択図】      図１
2004253052.tif 000002
【特許請求の範囲】
【請求項１】
管理領域とデータ領域から構成され、前記データ領域は、データが複数のオブジェクトデータに分かれて記録されており、それぞれのオブジェクトデータはデータユニットからなり、１データユニットは、パケットをパック化したパックから構成され、前記管理領域は、録画時のレートが記録されていることを特徴とする情報記録媒体。
【請求項２】
管理領域とデータ領域で構成され、前記データ領域には、データが複数のオブジェクトデータに分かれて記録されており、それぞれのオブジェクトデータはデータユニットからなり、１データユニットは、ＭＰＥＧ−ＴＳに準じたデジタル放送信号をＴＳパケットごとに、複数パケットをパック化したパックより構成され、前記管理領域には、オブジェクトデータを管理するＳＯＢ情報をもつ媒体に録画する情報記録装置において、
ハードディスクへ録画時に記録レートを計る記録レート算出部と、前記ＳＯＢ情報に基づいて前記管理領域に記録レートを記録する記録レート記録部とを有することを特徴とする情報記録装置。
【請求項３】
前記光ディスク内の管理領域に記録されている記録レートを読み出す記録レート読み出し部と、読み出された記録レート値が所定以上か以下かに基づき、ＤＶＤ光ディスクへ再エンコードありでコピーするかどうかを判定するコピー判定部とを有することを特徴とする請求項２記載の情報記録装置。
【請求項４】
ストリームの記録レートが所定の記録レートに対し、高いか低いかを判定する判定手段と、
前記判定手段より低いと判定された場合はそのまま記録し、高いと判定された場合は前記所定の記録レート以下に再エンコード処理を行い記録する記録手段とからなることを特徴とする情報記録装置。
【発明の詳細な説明】
【０００１】
【発明の属する技術分野】
この発明は、伝送されるデジタル放送を記録する情報記録媒体および情報記録装置に関する。
【０００２】
【従来の技術】
従来のデジタル放送を記録する情報記録装置は、光ディスクにトランスポートストリームを記録している。（例えば、特許文献１）
【特許文献１】
特開２００２−１７５６７１公報（第４頁、図４）
【０００３】
【発明が解決しようとする課題】
近年、ＴＶ放送は、地上波によるデジタル放送の時代に突入に際し、デジタルＴＶ放送の記録が望まれる。現在、放送されているデジタルＴＶ放送では、ＭＰＥＧ（Ｍｏｔｉｏｎ  Ｐｉｃｔｕｒｅ  Ｅｘｐｅｒｔｓ  Ｇｒｏｕｐ）のトランスポートストリームが採用され、今後も動画を使用したデジタル放送の分野としては、ＭＰＥＧ  ＴＳストリームが標準化されている。
【０００４】
上記した特許文献１の技術は、デジタル放送では高品位の映像データを送るために転送レートを上げている。最高２０Ｍｂｐｓ以上の転送レートでデータは送られてくる可能性がある。そのためが、通常のＤＶＤ（Ｄｉｇｉｔａｌ  Ｖｅｒｓａｔｉｌｅ  Ｄｉｓｋ）で記録可能な記録レートは、１倍速で１１Ｍｂｐｓ、２倍速で２２Ｍｂｐｓが最高のため、最高２０Ｍｂｐｓ以上の転送レートで送られてくるデータの記録はできない。そこで、次世代ＤＶＤでは、ブルーレーザーを利用した新たなメディアが開発され、規格が決まりつつある。
【０００５】
しかしながら、そのブルーの光ディスクが普及するには、まだ、時間がかかるばかりか、当分高価なメディアであると思われる。現在のところ、ＨＤ（Ｈｉｇｈ  Ｄｅｆｉｎｉｔｉｏｎ）映像データは、デジタルＶＴＲに保存するか、ＨＤＤなどに保存し、のちほど、ＤＶＤ光ディスクなどに再エンコードしてダウンコンバートし、記録できるレートに変換して保存している。
【０００６】
上記方法では、デジタルＶＴＲの場合、テープメディアであるため、ランダムアクセス性に欠け、ＤＶＤでは、再エンコードするために、画質が劣化するという、問題がある。
【０００７】
この発明の目的は、できるだけ画質劣化させることなく現行のＤＶＤレコーダにＨＤビデオデータを保存する、情報記録媒体および情報記録装置を提供することにある。
【０００８】
【課題を解決するための手段】
上記した課題を解決するために、この発明の記録媒体は、管理領域とデータ領域から構成され、前記データ領域は、データが複数のオブジェクトデータに分かれて記録されており、それぞれのオブジェクトデータはデータユニットからなり、１データユニットは、パケットをパック化したパックから構成され、前記管理領域は、録画時のレートが記録されていることを特徴とする。
【０００９】
この発明の情報記録装置は、管理領域とデータ領域で構成され、前記データ領域には、データが複数のオブジェクトデータに分かれて記録されており、それぞれのオブジェクトデータはデータユニットからなり、１データユニットは、ＭＰＥＧ−ＴＳに準じたデジタル放送信号をＴＳパケットごとに、複数パケットをパック化したパックより構成され、前記管理領域には、オブジェクトデータを管理するＳＯＢ情報をもつ媒体に録画するものにあって、ハードディスクへ録画時に
【００１０】
記録レートを計る記録レート算出部と、前記ＳＯＢ情報に基づいて前記管理領域に記録レートを記録する記録レート記録部とを有することを特徴とする。
また、この発明の情報記録装置は、ストリームの記録レートが所定の記録レートに対し、高いか低いかを判定する判定手段と、前記判定手段より低いと判定された場合はそのまま記録し、高いと判定された場合は前記所定の記録レート以下に再円コード処理を行い記録する記録手段とからなることを特徴とする。
【００１１】
【発明の実施の形態】
以下、この発明の実施の形態について、図面を参照しながら詳細に説明する。
図１は、この実施の形態で説明するための記録再生装置のシステム構成図を示している。この実施の形態は、記録媒体として、ＤＶＤ−ＲＡＭ（Ｒａｎｄｏｍ  Ａｃｃｅｓｓ  Ｍｅｍｏｒｙ）およびハードディスクの両方を取り扱うことができる記録再生装置として示しているが、いずれか一方のみの記録媒体を取り扱う装置に対しても、この発明は適用可能である。
【００１２】
図１の各ブロックを大きく分けると、左側には記録部の主なブロックを示し、右側には再生部の主なブロックを示している。
図１に示す記録再生装置における再生処理は、プログラムの再生順序を示すプログラムチェーン情報（ＰＧＣＩ）に従って行われ、このＰＧＣＩでは、複数のプログラム（ＰＧ）を指定することができ、このＰＧＣＩにはセルインフォメーション（ＣＩ）が定義されている。そしてＣＩによりセルエントリィポイント（Ｃ＿ＥＰＩ）が指定され、再生すべき対象となるＶＯＢ（Ｖｉｄｅｏ  Ｏｂｊｅｃｔ）が特定されることになる。
【００１３】
また、記録順に再生するための特別なＰＧＣをオリジナルＰＧＣと称し、このオリジナルＰＧＣの情報は、ＯＲＧ＿ＰＧＣＩとして記録されている。さらに、このときのビデオデータの解像度情報、アスペクト情報、音声属性情報などの属性情報は、ＳＭＧＩ（ストリームマネージャーインフォメーション）内のステー
【００１４】
タスインフォメーション（ＳＴＩ）に記録される。また、パックは、データ転送処理を行う最小単位である。さらに、論理上の処理を行う最小単位はセルで、論理上の処理はこの単位で行われる。従って、録画が行われるときは、上記のフォーマットに合致する形式に記録信号が変換される。
【００１５】
記録再生装置は、ハードディスク１００と、ビデオファイルを構築できる情報記憶媒体である光ディスク２００を回転駆動し、この光ディスク２００に対して情報の読み書きを実行するディスクドライブ３００と、録画側を構成するエンコーダ部４００と、再生側を構成するデコーダ部５００と、装置本体の動作を制御するメインＭＰＵ（Ｍｉｃｒｏ  Ｐｒｏｃｅｓｓｉｎｇ  Ｕｎｉｔ）部６００とを、主たる構成要素としている。
【００１６】
エンコーダ部４００は、Ａ／Ｄ（アナログデジタル）変換器４０１、セレクタ４０２、Ｖ（ビデオ）エンコーダ４０３、Ａ（オーディオ）エンコーダ４０４、各エンコーダの出力を所定のフォーマットにするフォーマッタ部４０５と、バッファメモリ（ＲＡＭ  ＦＩＦＯ）４０６を備えている。
【００１７】
Ａ／Ｄ変換器４０１には、ＡＶ入力部１１からの外部アナログビデオ信号＋外部アナログオーディオ信号、あるいはＴＶ（テレビジョン）チューナ１２からのアナログビデオ信号＋アナログ音声信号が入力される。
【００１８】
Ａ／Ｄ変換器４０１は、入力されたアナログビデオ信号を、例えばサンプリング周波数１３．５ＭＨｚ、量子化ビット数８ビットでデジタル化する。すなわち、輝度成分Ｙ、色差成分Ｃｒ（またはＹ−Ｒ）および色差成分Ｃｂ（またはＹ−Ｂ）が、それぞれ８ビットで量子化されることになる。
【００１９】
同様に、Ａ／Ｄ変換器４０１は、入力されたアナログオーディオ信号を、例えばサンプリング周波数４８ｋＨｚ、量子化ビット数１６ビットでデジタル化する。
なお、Ａ／Ｄ変換器４０１にデジタルビデオ信号やデジタルオーディオ信号が入力されるときは、Ａ／Ｄ変換器４０１は、デジタルビデオ信号やデジタルオーディオ信号をスルーパスさせる。そして、これらのデジタルビデオ信号およびデジタルオーディオ信号に対しても、内容は改変することなく、ジッタ低減処理やサンプリングレート変更処理等は行ってもよい。
【００２０】
Ａ／Ｄ変換器４０１から出力されたデジタルビデオ信号は、Ｖエンコーダ４０３を介してフォーマッタ部４０５に送られる。また、Ａ／Ｄ変換器４０１から出力されたデジタルオーディオ信号は、Ａエンコーダ４０４を介してフォーマッタ部４０５に送られる。
【００２１】
Ｖエンコーダ４０３は、入力されたデジタルビデオ信号を、ＭＰＥＧ２またはＭＰＥＧ１規格に基づいて、可変ビットレートで圧縮されたデジタル信号に変換する機能を有する。
【００２２】
また、Ａエンコーダ４０４は、入力されたデジタルオーディオ信号を、ＭＰＥＧまたはＡＣ−３規格に基づいて、固定ビットレートで圧縮されたデジタル信号またはリニアＰＣＭ（Ｐｕｌｓｅ  Ｃｏｄｅ  Ｍｏｄｕｌａｔｉｏｎ）のデジタル信号に変換する機能を有する。
【００２３】
フォーマッタ部４０５は、バッファメモリ４０６をワークエリアとして使用しながら、入力されたビデオ信号、オーディオ信号等に対して所定の信号処理を行うことにより、所定のＤＶＤフォーマット（ファイル構造）に合致した記録データをデータプロセッサ１３に出力する。
【００２４】
ここで、この記録再生装置は、エンコーダ部４００でエンコードされた情報および作成された管理情報を、データプロセッサ１３を介してハードディスク１００に供給し、ハードディスクに記録することができる。また、ハードディスクに記録された情報を、データプロセッサ１３、ディスクドライブ３００を介して光ディスク２００に記録することもできる。さらにまた、エンコーダ部４００でエンコードされた情報および作成された管理情報をデータプロセッサ１３、ディスクドライブ３００を介して、光ディスク２００に記録することもできる。
【００２５】
また、この記録再生装置は、ハードディスク１００に記録されている情報が、光ディスク２００のデータフォーマットと同じである場合、ハードディスクの情報を光ディスク２００にエンコード処理することなく記録することができる。
【００２６】
また、ハードディスク１００に記録されている情報が、光ディスク２００のデータフォーマットと異なる場合は、ハードディスクから読み出した情報をエンコーダ部４００でエンコードする。そしてエンコードされた情報を光ディスク２００に記録することができる。
【００２７】
ここで、上記光ディスク２００への記録データを作成するための標準的なエンコード処理内容を簡単に説明しておく。すなわち、エンコーダ部４００において、エンコード処理が開始されると、ビデオ（映像）データおよびオーディオデータをエンコード処理するにあたって必要なパラメータが設定される。
【００２８】
次に、設定されたパラメータを利用して映像データがプリエンコード処理されることにより、設定された平均転送レート（記録レート）に最適な符号量の分配が算出される。プリエンコード処理で得られた符号量分配に基づき、映像データのエンコード処理が実行される。このとき、オーディオデータのエンコード処理も同時に実行される。
【００２９】
エンコード処理された映像データおよびオーディオデータが組み合わされて、ビデオオブジェクトセットＶＯＢＳの構造に変換される。
さらに、映像データ（ビデオデータ）の再生の最小単位としてセルが設定され、セル情報が作成される。次に、プログラムチェーンＰＧＣを構成するセルの構成や、映像およびオーディオの属性等が設定され（ＳＴＩ）（これらの属性情報の一部は、各データをエンコードするときに得られた情報が利用される）、ここに、種々の情報を含めたＶＭＧファイルが作成される。
【００３０】
エンコード処理された映像データおよびオーディオデータは、一定サイズ（２０４８バイト）のパックに細分化される。なお、パック内には、適宜、再生時刻を示すＰＴＳ（プレゼンテーションタイムスタンプ）や、デコード時刻を示すＤＴＳ（デコーディングタイムスタンプ）等のタイムスタンプが記述される。
【００３１】
そして、各データのタイムコード順に再生可能なように、ビデオオブジェクトユニットＶＯＢＵ単位でその先頭にＲＤＩパック（ナビゲーションパックに相当）を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルにプログラムとして記録される。
【００３２】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。
【００３３】
光ディスク２００に対して、情報の読み書き（録画および／または再生）を実行する部分としては、光学系、駆動系を有するディスクドライブ３００と、データプロセッサ１３と、システムタイムカウンタ１６とを備えている。
【００３４】
ハードディスク１００は、録画途中で光ディスク２００を使い切ってしまった場合において、光ディスク２００が新しいディスクに交換されるまでの短時間の録画情報を一時記憶しておくことにも利用できる。
【００３５】
データプロセッサ１３は、ＭＰＵ部６００の制御に従って、エンコーダ部４００から出力されたＤＶＤ記録データをディスクドライブ３００に供給したり、光ディスク２００から再生したＤＶＤ再生信号をディスクドライブ３００から取り込んだり、光ディスク２００に記録された管理情報を書き替えたり、光ディスク２００に記録されたデータ（ファイルあるいはビデオオブジェクト）の削除をしたりする。
【００３６】
ＭＰＵ部６００は、制御プログラム等が書き込まれたＲＯＭと、プログラム実行に必要なワークエリアを提供するためのＲＡＭとを含んでいる。
ＭＰＵ部６００は、キー入力部１４からの操作情報を受け、ＲＯＭに格納された制御プログラムに基づいて、ＲＡＭをワークエリアとして用いて、欠陥場所検出、未記録領域検出、録画情報記録位置設定、ＵＤＦ記録、ＡＶアドレス設定等を実行する。
【００３７】
また、ＭＰＵ部６００は、システム全体を制御するために必要な情報処理部を有するもので、コピー情報検知・設定部、ディレクトリ検知部、ＶＭＧ管理情報作成部を備える。
【００３８】
ＭＰＵの実行結果のうち、ディスクドライブ３００のユーザーに通知すべき内容は、ＤＶＤビデオレコーダの表示部１５に表示されるか、またはモニタディスプレイ（２０）にＯＳＤ（オンスクリーンディスプレイ）表示される。
【００３９】
なお、ＭＰＵ部６００が、ディスクドライブ３００、データプロセッサ１３、エンコーダ部４００および／またはデコーダ部５００等を制御するタイミングは、システムタイムカウンタ１６からの時間データに基づいて、実行することができる。録画や再生の動作は、通常はシステムタイムカウンタ１６からのタイムクロックに同期して実行されるが、それ以外の処理は、システムタイムカウンタ１６とは独立したタイミングで実行されてもよい。
【００４０】
デコーダ部５００は、パック構造を持つ映像情報から各パックを分離して取り出す分離部５０１と、パック分離やその他の信号処理実行時に使用するメモリ５０２と、分離部５０１で分離された映像データ（ビデオパックの内容）をＶデコーダ５０３でデコードする。分離部５０１で分離されたオーディオデータ（オーディオパックの内容）をＡデコーダ５０４でデコードする。
【００４１】
ビデオプロセッサ５０５の出力は、ビデオミキシング部１７に入力される。ビデオミキシング部１７では、テキストデータの合成が行われる。またビデオミキシング部１７には、また、ＴＶチューナ１２やＡ／Ｖ入力部１１の信号を直接取り込むラインも接続されている。ビデオミキシング部１７には、バッファとして用いるフレームメモリ１８が接続されている。ビデオミキシング部１７の出力がデジタル出力の場合は、Ｄ／Ａ変換器１９を介し、アナログの場合はインターフェースを介してモニタ２０へ出力される。
【００４２】
また、Ａデコーダ５０４の出力がアナログ出力の場合は、図示しないインターフェースを介してモニタ２０へ出力され、デジタル出力の場合は、Ｄ／Ａ変換器５０６でアナログ変換されモニタ２０に出力される。
【００４３】
上記システムにおいて、ビデオ信号の流れを簡単に説明すると、以下のようになる。
まず、入力されたＡＶ信号はＡ／Ｄ変換器４０１でデジタル変換される。ビデオ信号はＶエンコーダ４０３へ、オーディオ信号はＡエンコーダ４０４へ入力される。ビデオ信号はＭＰＥＧ圧縮され、オーディオ信号はＡＣ−３圧縮またはＭＰＥＧオーディオ圧縮がなされ、文字データはランレングス圧縮される。
【００４４】
各エンコーダからの圧縮データは、パック化された場合に２０４８バイトになるようにパケット化されて、フォーマッタ部４０５へ入力される。フォーマッタ部４０５では、各パケットがパック化され、さらに、多重化され、データプロセッサ１３へ送られる。
【００４５】
ここで、フォーマッタ部４０５は、ＲＤＩパックを作成し、ビデオオブジェクトユニット（ＶＯＢＵ）の先頭に配置する。データプロセッサ１３は、１６パック毎にＥＣＣブロックを形成し、エラー訂正データを付け、その出力をディスクドライブ３００を介して光ディスク２００へ記録する。ディスクドライブ３００がシーク中やトラックジャンプなどの場合のため、ビジィー状態の場合には、一時的な記憶部へ記憶され、ディスクドライブ３００の準備ができるまで待機することとなる。
【００４６】
さらに、フォーマッタ部４０５では、録画中、各切り分け情報を生成し、定期的にＧＯＰ先頭割り込み時などの情報をＭＰＵ部６００へ送る。切り分け情報としては、ＶＯＢＵのパック数、ＶＯＢＵ先頭からのＩピクチャのエンドアドレス、ＶＯＢＵの再生時間などである。
【００４７】
同時に、アスペクト情報を録画開始時にＭＰＵ部６００へ送り、ＭＰＵ部６００でＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【００４８】
また、録再ＤＶＤでは、ビデオファイルは１光ディスクに１ファイルとしている。
ところで、ＤＶＤ−Ｖｉｄｅｏ規格では、衛星放送などを想定してフォーマットされていないため、ＤＶＤストリーム規格が新たに規格化された。
ＤＶＤストリーム規格のＳＯＢＳ（Ｓｔｒｅａｍ  Ｏｂｊｅｃｔ  Ｓｅｔ）の構造を、図２に示す。１ＳＯＢＵ（Ｓｔｒｅａｍ  Ｏｂｊｅｃｔ  Ｕｎｉｔ）は、Ｓ＿ＰＡＣＫで構成され、１Ｓ＿ＰＡＣＫは、パックヘッダとＳ＿ＰＡＣＫＥＴで構成され、Ｓ＿ＰＡＣＫＥＴは、パケットヘッダ、サブストリームＩＤ、アプリケーションヘッダ、記録時の到着時間（ＡＰＡＴ：Ａｐｐｌｉｃａｔｉｏｎ  Ｐａｃｋｅｔ  Ａｒｒｉｖａｌ  Ｔｉｍｅ）＋ＴＳパケットおよびパディングパケットで構成されている。Ｓ＿ＰＡＣＫＥＴにはＡＰＡＴとＴＳパケットで構成され、サブストリームＩＤとしては０ｘ０２としている。
【００４９】
そのときの管理データ構造を図３、図４に示す。すなわち、図３は、ＤＶＤ管理情報の全体図であり、その構造としてはストリーム管理情報およびＳＭＧ（Ｓｔｒｅａｍ  Ｍａｎａｇｅｍｅｎｔ），ＳＯＢＳで構成されている。ＳＭＧは、ＲＴＲ＿ＳＭＩ（Ｒｅａｌ  Ｔｉｍｅ  Ｒｅｃｏｒｄｉｎｇ−Ｓｔｒｅａｍ  Ｍａｎａｇｅｍｅｎｔ  Ｉｎｆｏｒｍａｔｉｏｎ），ＳＦＩＴ（Ｓｔｒｅａｍ  Ｆｉｌｅ  Ｉｎｆｏｒｍａｔｉｏｎ  Ｔａｂｌｅ）などで構成されている。
【００５０】
図４に示すにように、ＳＭＧの中のＳＦＩＴ内にＳＯＢＩが存在する。ＳＯＢＩはＳＯＢを再生するために必要な情報が書かれている。ＳＯＢＩの中にはＳＯＢ全体のデータに関するデータとしてＳＯＢＧＩ（Ｇｅｎｅｒａｌ  Ｉｎｆｏｒｍａｔｉｏｎ）があり、この発明で提案するビットレートが記録されている。
【００５１】
次に、ストリームの記録時の信号の流れは、ＳＴＢ（Ｓｅｔ  Ｔｏｐ  Ｂｏｘ）部７００より受け取ったＴＳパケットデータは、フォーマッタ部４０５で受け取り、到着時間とともにバッファメモリ４０６に一時保存され、フォーマッタ部４０５はそのバッファメモリ４０６よりＴＳパケットデータを読み出し、パック化し、データプロセッサ１３でＥＣＣ処理を行い、ディスクドライブ３００を介して光ディスク２００へ記録される。
【００５２】
放送がＳＴＢ部７００ではなく、デジタル地上波の場合、チューナ１２より信号を受けることになる。この場合、今回はデジタル地上波ではスクランブルがかかっていないとし、直接再生（デコード）できる。基本的にはＳＴＢ部７００を介して記録するのと同じであるが、管理情報ＳＯＢＩ＿ＧＩにチューナ１２で受け取った旨を記録する。
【００５３】
また、再生時は、光ディスク２００から読み出したパックデータを分離部５０１で解析し、ＴＳパケットが入っているパックの場合には、ＴＳパケット転送部５０７へ送り、さらに、管理情報により、ＳＴＢ部７００かチューナ１２のいずれにより取り込まれたデータかを調べ、ＳＴＢ部７００の場合は、ＴＳパケット転送部５０７は、そのデータを到着時と同じ時間間隔で、ＴＳパケットのみを転送する。
【００５４】
ＳＴＢ部７００は、デコードを行ってビデオおよびオーディオ信号を発生させ、ストリーマ内ビデオエンコーダ部を通してビデオ信号をモニタ２０で映像表示し、オーディオ信号をスピーカ２１で再生する。
【００５５】
また、デジタル地上波の場合、デコード部５００へ送り、デコード処理を行う。このとき、ＴＳパケット転送部５０７は、エレメンタリデータにしてデコーダ５０３，５０４へ送っている。デジタルＴＶ放送などやインターネットなどの有線を使用した放送などの圧縮動画を放送（配信）を行うための方式において、共通の基本フォーマットであるＴＳストリームには、パケットの管理データ部分とペイロードに分かれる。
【００５６】
ペイロードには、再生されるべき対象のデータがスクランブルの掛かった状態で含まれている。ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人電波産業会）によると、その他にＰＡＴやＰＭＴやＳＩに関しては、スクランブルされていない。
【００５７】
再生対象としては、ＭＰＥＧビデオデータやＡＣ−３オーディオデータやＭＰＥＧオーディオデータなど、また、さらに、直接、再生対象には関係ないが、再生する上で必要なＰＡＴ、ＰＭＴ、ＳＩなどの情報、さらにＥＰＧ（番組情報）などがある。
【００５８】
ＰＡＴには、番組毎のＰＭＴのＰＩＤ（Ｐａｃｋｅｔ  Ｉｄｅｎｔｉｆｉｃａｔｉｏｎ）が含まれており、さらにＰＭＴにはビデオデータやオーディオデータのＰＩＤが記録されている。
【００５９】
これにより、ＳＴＢ部７００の通常の再生手順としては、ＥＰＧ情報により、ユーザーが番組を決定すると、目的の番組の開始時間に、ＰＡＴを読み込み、そのデータを元に、希望の番組に属するＰＭＴのＰＩＤを決定し、そのＰＩＤに従って、目的のＰＭＴを読み出し、そこに含まれる再生すべきビデオ、オーディオパケットのＰＩＤを決定し、ＰＭＴやＳＩにより、ビデオ、オーディオの属性を読み出し、各デコーダへセットし、前記ビデオ、オーディオデータをＰＩＤに従って、切り出して、再生を行う。ここで、ＰＡＴ、ＰＭＴ、ＳＩ等は途中再生にも使用するために、数１００ｍｓ毎に、送信されてくる。
【００６０】
これらのデータに対し、ＤＶＤ−ＲＡＭなどのディスクメディアに記録する場合には、放送されたデータをそのまま、デジタルデータとして記録する方が有利である。ハードディスク１００では、記録レートは３０Ｍｂｐｓ以上であるため、問題なく記録できる。
【００６１】
ただし、現在、ＤＶＤの最高ビットレートが１０．０８Ｍｂｐｓであり、現在発売されているＤＶＤ−ＲＡＭドライブで最高記録速度は、２倍速で２２Ｍｂｐｓである。デジタル放送はＨＤビデオが含まれている場合、最高２６Ｍｂｐｓと、そのものを記録することはできない。しかしながら、全ての放送が２０Ｍｂｐｓを超えているわけではない。そのため、ＤＶＤ−ＲＡＭに記録する場合には、ハードディスク１００の記録時レートを算出し、２０Ｍｂｐｓ（または１０Ｍｂｐｓ）以下の場合は、ＤＶＤにそのまま記録し、２０Ｍｂｐｓ（または１０Ｍｂｐｓ）以上の場合は、例えば、一度アナログビデオ信号にデコードしてそれを２０Ｍｂｐｓ（または１０Ｍｂｐｓ）以下に再エンコードして記録する必要がある。
【００６２】
記録レートを算出するには、ハードで行う方法と、ソフトで行う方法の二つがある。図５は、記録処理を行うフローであり、この処理中に図６の割り込み処理が発生する。
【００６３】
まず、図７、図８を用いてハードで記録レートを算出する方法について説明する。チューナ１２からの受信データをフォーマッタ部４０５に送ったデータのバイト数をカウンタ部８１によって、カウントしておき、例えば１秒毎にその値をカウンタ部よりＭＰＵ部６００が読み出し、その値より前値との差を求め、転送レートとする。
【００６４】
このとき、さらに、データの転送方式により、いくつかの方法が考えられる。たとえば、図７に示すように、データ転送方式が、ＲＥＱ（Ｒｅｑｕｅｓｔ）／ＡＣＫ（Ａｃｋｎｏｗｌｅｄｇｅ）信号のみで行われる場合には、ＡＣＫ信号の数をカウントすることで求められ、また、図８に示すように、ＲＥＱ／ＡＣＫ信号と転送クロック信号で行われる方式の場合には、ＡＣＫ信号がアクティブな期間の転送クロック信号をカウントすることで求められる。
【００６５】
図７あるいは図８を用いて記録レートが算出された記録レートを、図６のステップＳＷ１で読み込み、ワークＲＡＭ６０１に書き込む。
また、ソフトで記録レートを算出する方法としては、図６のＳＷ２に示されるように、フォ−マッタ部４０５のバッファメモリ４０６に一時保存された転送データの増分を一定時間毎に読み取り残量記録レートとする。
【００６６】
これらの方法により、求められた一定時間毎のレートを、ワークＲＡＭ６０１内に保存しておき、録画終了時に、管理ファイルに保存する。このとき、ＳＯＢ毎に管理する場合は、ＳＯＢＩに、ＳＯＢ内の記録したレートの最高値を保存する。
【００６７】
次に、ハードディスク１００より光ディスク２００へコピーする場合は、図９に示すように、ハードディスク１００内にビデオ／ストリームデータ管理ファイルを読み込み（Ｓ１）、ストリームデータがあるかをチェックし（Ｓ２）し、ある場合はステップＳ３においてユーザーにコピーするプログラムまたはセル番号を選択して貰い、ない場合は記録されていない旨を表示部１５またはモニタ２０に表示し（Ｓ４）し、終了する。
【００６８】
ステップＳ５において、記録レートが２０Ｍｂｐｓ以上か以下かを判定し、以上であれば再エンコードを行い（Ｓ６）、以下であればそのままを光ディスク２００にコピーする（Ｓ７）。
【００６９】
次にステップＳ８においても、ステップＳ６またはＳ７の結果に基づいて光ディスク２００内のＳＭＧを更新する。
さらに、放送を直接そのまま光ディスクに記録する場合は、図１０に示すようように、バッファ内に溜まったストリームデータを一定時間毎に、記録レートを調べ、記録レートが一定に大きさ以上でない場合は、そのまま、ディスクへ書き込み、一定の大きさ以上の場合は、録画レートが一定範囲を超えないように再エンコード処理を行い、ディスクへ記録する。
【００７０】
上記したように、コピー対象の最高記録レートを調べ、２０Ｍｂｐｓ以内であれば、そのままコピーし、２０Ｍｂｐｓ以上であれば、再エンコードして記録する。これにより、デジタル放送の異なるビットレートの番組に対応したコピー動作が実現できる。
【００７１】
【発明の効果】
以上説明したようにこの発明によれば、ビットレートの異なる画像情報に対して画質劣化の少ないデータとしてＤＶＤメディアに保存することが可能となる。
【図面の簡単な説明】
【図１】この発明の全体システム構成について説明するためのシステム構成図。
【図２】この発明のＳＯＢＳの構造について説明するための説明図。
【図３】この発明のＰＧＣ＿ＧＩの内容について説明するための説明図。
【図４】この発明のＳＯＢＵ＿Ｅｎｔｒｙの内容について説明するための説明図。
【図５】この発明の録画動作について説明するためのフローチャート。
【図６】この発明の録画割り込みについて説明するためのフローチャート。
【図７】この発明の録画時における転送クロックなしの場合のレートカウント回路例について説明するためのブロック図。
【図８】この発明の録画時における転送クロックありの場合のレートカウント回路例について説明するためのブロック図。
【図９】この発明のコピー動作について説明するためのフローチャート。
【図１０】この発明におけるディスクに直接録画する場合の動作について説明するためのフローチャート。
【符号の説明】
１００…ハードディスク
２００…光ディスク
３００…ディスクドライブ
４００…エンコーダ部
４０３…Ｖエンコーダ
４０４…Ａエンコーダ
４０５…フォーマット部
４０６…バッファメモリ
５００…デコーダ部
５０１…分離部
５０３…Ｖデコーダ
５０４…Ａデコーダ
５０７…ＴＳパケット転送部
６００…メインＭＰＵ部
７００…ＳＴＢ部
１１…Ａ／Ｖ入力部
１２…チューナ
１３…データプロセッサ
１４…キー入力部
１６…システムタイムカウンタ
【図１】
2004253052.tif 000003
【図２】
2004253052.tif 000004
【図３】
2004253052.tif 000005
【図４】
2004253052.tif 000006
【図５】
2004253052.tif 000007
【図６】
2004253052.tif 000008
【図７】
2004253052.tif 000009
【図８】
2004253052.tif 000010
【図９】
2004253052.tif 000011
【図１０】
2004253052.tif 000012